(57)【要約】【課題】高い拘束力を有し、治具を使用せずにプレート煉瓦の着脱が容易にできるスライディングノズル装置を提供する。【解決手段】プレート煉瓦１４が収納される凹陥部１２の後方に形成された凹陥部１３内に設置されているプレート煉瓦着脱装置２０は、凹陥部１３を画成する側壁１３ａに固定されるベース部材２５と、固定金枠１１の長辺方向に配置され、ベース部材２５上を固定金枠１１の長辺方向にスライドする押圧部材２１と、後端部がベース部材２５に回動自在に軸支され、レバー部材２２の基端部が固着された第一のリンク部材２３と、押圧部材２１の後端部と第一のリンク部材２３の前端部とを連結する第二のリンク部材２４とから概略構成されている。【選択図】図１
2010234427.tif 000002
【特許請求の範囲】
【請求項１】
金枠内に収納されたプレート煉瓦を押圧保持する煉瓦押圧ブロックに前端部が接続された押圧部材と、トグル機構を介して前記押圧部材の後端部に連結され、該押圧部材を前記プレート煉瓦に向けて進退させるレバー部材とを有するプレート煉瓦着脱装置を備えることを特徴とするスライディングノズル装置。
【請求項２】
請求項１記載のスライディングノズル装置において、前記プレート煉瓦着脱装置が、前記金枠に固定されるベース部材と、前記ベース部材上をスライドする前記押圧部材と、後端部が前記ベース部材に回動自在に軸支され、前記レバー部材の基端部が固着された第一のリンク部材と、前記押圧部材の後端部と前記第一のリンク部材の前端部とを連結する第二のリンク部材とを有するスライディングノズル装置。
【請求項３】
請求項１及び２のいずれか１項に記載のスライディングノズル装置において、前記金枠に溝部が形成され、前記レバー部材が前記溝部内に収納可能とされているスライディングノズル装置。
【発明の詳細な説明】
【技術分野】
【０００１】
本発明は、溶鋼容器の底部に設置され、プレート煉瓦を摺動させて溶鋼流路の開度を調節することにより溶鋼の流出量を制御するスライディングノズル装置に関する。
【背景技術】
【０００２】
溶鋼の流出量制御に使用されるプレート煉瓦は、スライディングノズル装置を構成する金枠内に着脱できるように収納されている。プレート煉瓦の金枠内への着脱は、プレート煉瓦を保持する煉瓦押さえブロック（煉瓦押圧ブロック）をネジ機構によりボルトで押圧する方式が主流である（例えば特許文献１参照）。しかし、従来の着脱方式の場合、高温環境下で時間を要する作業となるため、作業者への負担が大きい。
【０００３】
そこで、特許文献２では、煉瓦押さえブロックの中心位置に回転レバーによって作動する煉瓦締付け用カムと解除用カムのそれぞれ２種類の機能を有するカム機構を設けたプレート煉瓦着脱装置の発明が開示されている。特許文献２によれば、回転レバーのみによるワンタッチ作業で、プレート煉瓦の締付け及び解除作業ができるので、操作が簡単であるとされている。
【先行技術文献】
【特許文献】
【０００４】
【特許文献１】実開平２−１２７３６４号公報
【特許文献２】特開平７−１１６８２５号公報
【発明の概要】
【発明が解決しようとする課題】
【０００５】
しかしながら、特許文献２に記載されたプレート煉瓦着脱装置の場合、プレート煉瓦の交換時に、カムを回すための回転レバーと呼ばれる治具が必要となる。また、カム機構の場合、カムと煉瓦押さえブロックとが線接触となり高応力となるため、プレート煉瓦を高い拘束力で保持することが難しいという問題もある。
【０００６】
本発明はかかる事情に鑑みてなされたもので、高い拘束力を有し、治具を使用せずにプレート煉瓦の着脱が容易にできるスライディングノズル装置を提供することを目的とする。
【課題を解決するための手段】
【０００７】
上記目的を達成するため、本発明に係るスライディングノズル装置は、金枠内に収納されたプレート煉瓦を押圧保持する煉瓦押圧ブロックに前端部が接続された押圧部材と、トグル機構を介して前記押圧部材の後端部に連結され、該押圧部材を前記プレート煉瓦に向けて進退させるレバー部材とを有するプレート煉瓦着脱装置を備えることを特徴としている。
【０００８】
本明細書では、スライディングノズル装置を構成する各構成要素の向きに関して、プレート煉瓦が収納されている側を「前」側、プレート煉瓦着脱装置が設置されている側を「後」側とする。
【０００９】
本発明では、レバー部材を一方向に回動することにより、トグル機構を介して連結された押圧部材が前方にスライドして煉瓦押圧ブロックがプレート煉瓦を押圧保持すると共に、レバー部材を他方向に回動することにより、押圧部材が後方にスライドして煉瓦押圧ブロックとプレート煉瓦との接触が解除される。
【００１０】
また、本発明に係るスライディングノズル装置では、前記プレート煉瓦着脱装置が、前記金枠に固定されるベース部材と、前記ベース部材上をスライドする前記押圧部材と、後端部が前記ベース部材に回動自在に軸支され、前記レバー部材の基端部が固着された第一のリンク部材と、前記押圧部材の後端部と前記第一のリンク部材の前端部とを連結する第二のリンク部材とを有するようにしてもよい。
【００１１】
また、本発明に係るスライディングノズル装置では、前記金枠に溝部が形成され、前記レバー部材が前記溝部内に収納可能とされていてもよい。
【発明の効果】
【００１２】
本発明に係るスライディングノズル装置では、レバー部材を回動させることにより、トグル機構を介して連結された押圧部材が進退して煉瓦押圧ブロックがプレート煉瓦を押圧保持又は押圧解除するので、治具を使用せずにプレート煉瓦の着脱をワンタッチ操作で容易に行うことができる。加えて、押圧部材と煉瓦押圧ブロックとが接続されているので、プレート煉瓦を高い拘束力で保持することができる。
【図面の簡単な説明】
【００１３】
【図１】本発明の一実施の形態に係るスライディングノズル装置を構成する固定金枠内に、プレート煉瓦着脱装置によりプレート煉瓦が押圧保持されている状態を示した平面図である。
【図２】同スライディングノズル装置を構成する固定金枠内に、プレート煉瓦着脱装置によりプレート煉瓦が押圧保持されている状態を示した側断面図である。
【図３】同プレート煉瓦着脱装置の正面図であり、（Ａ）はプレート煉瓦の押圧が解除されている状態、（Ｂ）はプレート煉瓦が押圧保持されている状態にそれぞれ対応している。
【図４】（Ａ）はレバー部材押し込み前の状態を示すプレート煉瓦着脱装置の平面図、（Ｂ）はレバー部材押し込み後の状態を示すプレート煉瓦着脱装置の平面図、（Ｃ）はレバー部材押し込み後の状態を示すプレート煉瓦着脱装置の左側面図である。
【図５】（Ａ）〜（Ｄ）はプレート煉瓦着脱装置の動作を示した説明図である。
【発明を実施するための形態】
【００１４】
続いて、添付した図面を参照しつつ、本発明を具体化した実施の形態につき説明し、本発明の理解に供する。なお、以下の説明では、先に述べたように、スライディングノズル装置を構成する各構成要素の向きに関して、プレート煉瓦が収納されている側を「前」側、プレート煉瓦着脱装置が設置されている側を「後」側とする。
【００１５】
図１及び図２は、本発明の一実施の形態に係るスライディングノズル装置１０を構成する固定金枠１１（金枠の一例）内に、プレート煉瓦着脱装置２０によりプレート煉瓦１４が押圧保持されている状態を示したものである。溶融金属容器（図示省略）の底面に固定される固定金枠１１は、概ね、平面視して一方向に長い矩形板状とされ、プレート煉瓦１４が収納される凹陥部１２が一方の面に形成されている。
【００１６】
本実施の形態におけるプレート煉瓦１４は、平面視して一方向に長い八角形状とされ、中央部には、溶鋼流路となるノズル孔１４ａが形成されている。プレート煉瓦１４が収納される凹陥部１２は、平面視して固定金枠１１と同方向に長い矩形状とされ、ノズル孔１４ａに面する箇所は開口部１２ａとされている（図２参照）。また、凹陥部１２内には、プレート煉瓦１４の長辺方向の前部を保持する煉瓦保持ブロック１５が凹陥部１２内の前部に、プレート煉瓦１４の長辺方向の後部を押圧保持する煉瓦押圧ブロック１６が凹陥部１２内の後部に設置されている。煉瓦保持ブロック１５は固定金枠１１に固定され、煉瓦押圧ブロック１６が、後述するプレート煉瓦着脱装置２０により凹陥部１２の長辺方向にスライド可能とされている。
【００１７】
煉瓦押圧ブロック１６は、プレート煉瓦１４の長辺方向の後部に当接する一対のアーム部１７と、一対のアーム部１７間に架設されたビーム部１８とから構成されている。具体的には、凹陥部１２の長辺方向に延在するアーム部１７の後端部が、凹陥部１２の短辺方向に延在するビーム部１８の両端部にそれぞれ連結されている。ビーム部１８の後端面中央部には、プレート煉瓦着脱装置２０を構成する押圧部材２１の前端部が接続されている。また、押圧部材２１を挟んでビーム部１８の両側には、凹陥部１２の後端部に一端部が固着され、凹陥部１２の長辺方向に延在する棒状のガイドピン２９が挿通するガイド孔１８ａが形成されている。押圧部材２１が固定金枠１１の長辺方向にスライドすると、煉瓦押圧ブロック１６は、一対のガイドピン２９にガイドされ、凹陥部１２の長辺方向にスライドする。
【００１８】
プレート煉瓦着脱装置２０は、凹陥部１２の後方に別途形成された凹陥部１３内に設置されている。凹陥部１３は、固定金枠１１の長辺方向に延在し、凹陥部１２と連通している。
プレート煉瓦着脱装置２０は、煉瓦押圧ブロック１６を構成するビーム部１８に前端部が接続された押圧部材２１と、トグル機構を介して押圧部材２１の後端部に連結され、押圧部材２１をプレート煉瓦１４に向けて進退させるレバー部材２２とを有している。「トグル機構」は、「く」又は「へ」の字状に連結されたリンク部材の連結箇所を押圧することにより、当該リンク部材の自由端部側に大きな力を発生させる機構である。
【００１９】
具体的には図３（Ａ）、（Ｂ）及び図４（Ａ）〜（Ｃ）に示すように、凹陥部１３を画成する側壁１３ａに固定されるベース部材２５と、固定金枠１１の長辺方向に配置され、ベース部材２５上を固定金枠１１の長辺方向にスライドする押圧部材２１と、後端部がベース部材２５に回動自在に軸支され、レバー部材２２の基端部が固着された第一のリンク部材２３と、押圧部材２１の後端部と第一のリンク部材２３の前端部とを連結する第二のリンク部材２４とから、プレート煉瓦着脱装置２０が概略構成されている。
【００２０】
押圧部材２１は円柱状とされ、ベース部材２５の前端部に形成された円筒状のガイド部２５ａ内を挿通し、材軸方向にスライドする。押圧部材２１の後端部には、押圧部材２１と同一線上に配置され、「へ」の字状に湾曲した第二のリンク部材２４の前端部がピン２６を介して連結されている（図３参照）。一方、第二のリンク部材２４の後端部は、押圧部材２１のスライド方向と直交する方向（凹陥部１２内に収納されたプレート煉瓦１４を含む面と直交する方向）にスライドするスライドピン２７を介して、第二のリンク部材２４と平行に配置された第一のリンク部材２３の前端部に連結されている（図４（Ａ）、（Ｂ）参照）。第一のリンク部材２３には、図３（Ｂ）に示すように、レバー部材２２の基端部が固着されており、第一のリンク部材２３の後端部は、スライドピン２７と平行に配置されたスライドピン２８を介してベース部材２５の後端部２５ｂに回動自在に軸支されている（図４（Ａ）、（Ｂ）参照）。
【００２１】
スライドピン２８を回動軸として、凹陥部１２内に収納されたプレート煉瓦１４と平行な面内でレバー部材２２を回動すると、第一のリンク部材２３に連結された第二のリンク部材２４が押圧部材２１の材軸方向に進退し、第二のリンク部材２４に連結された押圧部材２１がガイド部２５ａに沿ってスライドする。図３では、レバー部材２２を反時計方向に回動すると、押圧部材２１が前方にスライドし、レバー部材２２を時計方向に回動すると、押圧部材２１が後方にスライドする。
また、スライドピン２７、２８の材軸方向にレバー部材２２を押し引きすることにより、レバー部材２２は、第一のリンク部材２３と共に、凹陥部１２内に収納されたプレート煉瓦１４を含む面と直交する方向にスライドする。
【００２２】
プレート煉瓦着脱装置２０の近傍には、スライドしたレバー部材２２を収納するための溝部３０が形成されている（図１参照）。溝部３０は固定金枠１１の短辺方向に延在し、ベース部材２５が固定される側壁１３ａと反対側の側壁１３ｂを介して凹陥部１３と連通している。また、凹陥部１３の後端部は溝部３０と反対方向に拡幅され、レバー部材２２を回動しやすいようになっている。
【００２３】
続いて、プレート煉瓦着脱装置２０の動作について図５を用いて説明する。
（１）図５（Ａ）、（Ｂ）は、プレート煉瓦１４の押圧が解除されているときのプレート煉瓦着脱装置２０の状態を示したものである。プレート煉瓦１４を押圧保持する場合は、レバー部材２２の先端部をプレート煉瓦１４に向けて回動させる（図５（Ａ）では、反時計方向に回動させる。）。これにより、押圧部材２１が前方へスライドし、押圧部材２１の前端部に接続された煉瓦押圧ブロック１６がプレート煉瓦１４を押圧保持する。
（２）図５（Ｃ）は、レバー部材２２の先端部をプレート煉瓦１４に向けて回動させた後の状態を示したものである。この状態から、レバー部材２２を凹陥部１３の底部に向けて（図５（Ｃ）では、紙面の表から裏へ向かう方向）押し込むことにより、レバー部材２２は溝部３０内に収納される（図５（Ｄ）参照）。
【００２４】
プレート煉瓦１４の押圧を解除する場合は、レバー部材２２を手前に引き（図５（Ｃ）では、紙面の裏から表へ向かう方向）、次いで、レバー部材２２の先端部をプレート煉瓦１４の無い側に回動させる（図５（Ｃ）では、時計方向に回動させる。）。これにより、押圧部材２１が後方へスライドし、押圧部材２１の前端部に接続された煉瓦押圧ブロック１６がプレート煉瓦１４から離間する。
【００２５】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、固定金枠内にプレート煉瓦を押圧保持する場合について説明したが、スライド金枠内にプレート煉瓦を押圧保持する場合も同様である。また、プレート煉瓦の平面形状は八角形状に限定されるものではなく、楕円形状など他の平面形状のプレート煉瓦を使用する場合は、プレート煉瓦に合わせて煉瓦保持ブロック及び煉瓦押圧ブロックの形状を変えればよい。
【符号の説明】
【００２６】
１０：スライディングノズル装置、１１：固定金枠（金枠の一例）、１２、１３：凹陥部、１２ａ：開口部、１３ａ、１３ｂ：側壁、１４：プレート煉瓦、１４ａ：ノズル孔、１５：煉瓦保持ブロック、１６：煉瓦押圧ブロック、１７：アーム部、１８：ビーム部、１８ａ：ガイド孔、２０：プレート煉瓦着脱装置、２１：押圧部材、２２：レバー部材、２３：第一のリンク部材、２４：第二のリンク部材、２５：ベース部材、２５ａ：ガイド部、２５ｂ：後端部、２６：ピン、２７、２８：スライドピン、２９：ガイドピン、３０：溝部
【図１】
2010234427.tif 000003
【図２】
2010234427.tif 000004
【図３】
2010234427.tif 000005
【図４】
2010234427.tif 000006
【図５】
2010234427.tif 000007